(57)【特許請求の範囲】
【請求項１】
無線通信システムにおいて、端末が、セミパーシステントスケジューリング（ＳＰＳ）方式によって下りリンク信号を受信する方法であって、
複数のパラメータセットを受信するステップであって、各パラメータセットは、ノンゼロパワーチャネル状態情報参照信号（ＣＳＩ−ＲＳ）設定に関するパラメータを有する、ステップと、
第１サブフレームにおいて、前記ＳＰＳ方式の活性化を示す下りリンク制御情報（ＤＣＩ）を受信するステップであって、前記ＤＣＩは、前記複数のパラメータセットの一つを示す指示子を有する第１タイプＤＣＩまたは前記指示子を有しない第２タイプＤＣＩのうちの一つである、ステップと、
前記第１タイプＤＣＩまたは前記第２タイプＤＣＩに有されるリソース割当情報によって、前記第１サブフレームと前記第１サブフレーム以降に上位層を通して設定された第２サブフレームとにおいて、前記下りリンク信号を受信するステップと、を有し、
前記端末は、前記複数のパラメータセットのうちの前記受信されるＤＣＩに基づいて決定されるパラメータセットに有されるノンゼロパワーＣＳＩ−ＲＳ設定のノンゼロパワーＣＳＩ−ＲＳと、前記第１サブフレームおよび前記第２サブフレームの復調ＲＳ（ＤＭ−ＲＳ）と、は疑似コロケーション（ＱＣＬ）である、と仮定する、下りリンク信号受信方法。
【請求項２】
前記第１タイプＤＣＩを受信した場合、前記第１サブフレームおよび前記第２サブフレームにおいて、前記下りリンク信号は、前記第１タイプＤＣＩに有される前記指示子によって示される前記パラメータセットに有される前記ノンゼロパワーＣＳＩ−ＲＳ設定に基づいて受信される、請求項１に記載の下りリンク信号受信方法。
【請求項３】
前記第２タイプＤＣＩを受信した場合、前記第１サブフレームおよび前記第２サブフレームにおいて、前記下りリンク信号は、所定のパラメータセットに有される前記ノンゼロパワーＣＳＩ−ＲＳ設定に基づいて受信される、請求項１に記載の下りリンク信号受信方法。
【請求項４】
前記ノンゼロパワーＣＳＩ−ＲＳの広範囲特性は、前記下りリンク信号を復調するための前記ＤＭ−ＲＳの広範囲特性と同一である、請求項１に記載の下りリンク信号受信方法。
【請求項５】
前記広範囲特性は、ドップラ拡散、ドップラシフト、平均遅延および遅延拡散のうちの少なくとも一つを有する、請求項４に記載の下りリンク信号受信方法。
【請求項６】
無線通信システムにおいて、ネットワークが、セミパーシステントスケジューリング（ＳＰＳ）方式によって下りリンク信号を端末に送信する方法であって、
複数のパラメータセットを送信するステップであって、各パラメータセットは、ノンゼロパワーチャネル状態情報参照信号（ＣＳＩ−ＲＳ）設定に関するパラメータを有する、ステップと、
第１サブフレームにおいて、前記ＳＰＳ方式の活性化を示す下りリンク制御情報（ＤＣＩ）を送信するステップであって、前記ＤＣＩは、前記複数のパラメータセットの一つを示す指示子を有する第１タイプＤＣＩまたは前記指示子を有しない第２タイプＤＣＩのうちの一つである、ステップと、
前記第１タイプＤＣＩまたは前記第２タイプＤＣＩに有されるリソース割当情報によって、前記第１サブフレームと前記第１サブフレーム以降に上位層を通して設定された第２サブフレームとにおいて、前記下りリンク信号を送信するステップと、を有し、
前記端末は、前記複数のパラメータセットのうちの前記送信されるＤＣＩに基づいて決定されるパラメータセットに有されるノンゼロパワーＣＳＩ−ＲＳ設定のノンゼロパワーＣＳＩ−ＲＳと、前記第１サブフレームおよび前記第２サブフレームの復調ＲＳ（ＤＭ−ＲＳ）と、は疑似コロケーション（ＱＣＬ）である、と仮定する、下りリンク信号送信方法。
【請求項７】
前記第１タイプＤＣＩを送信した場合、前記第１サブフレームおよび前記第２サブフレームにおいて、前記下りリンク信号は、前記第１タイプＤＣＩに有される前記指示子によって示される前記パラメータセットに有される前記ノンゼロパワーＣＳＩ−ＲＳ設定に基づいて送信される、請求項６に記載の下りリンク信号送信方法。
【請求項８】
前記第２タイプＤＣＩを送信した場合、前記第１サブフレームおよび前記第２サブフレームにおいて、前記下りリンク信号は、所定のパラメータセットに有される前記ノンゼロパワーＣＳＩ−ＲＳ設定に基づいて送信される、請求項６に記載の下りリンク信号送信方法。
【請求項９】
前記ノンゼロパワーＣＳＩ−ＲＳの広範囲特性は、前記下りリンク信号を復調するための前記ＤＭ−ＲＳの広範囲特性と同一である、請求項６に記載の下りリンク信号送信方法。
【請求項１０】
前記広範囲特性は、ドップラ拡散、ドップラシフト、平均遅延および遅延拡散のうちの少なくとも一つを有する、請求項９に記載の下りリンク信号送信方法。
【発明の詳細な説明】
【技術分野】
【０００１】
本発明は、無線通信システムに関し、特に、無線通信システムにおける下りリンク信号の送受信方法、および、無線通信システムにおける下りリンク信号の送受信装置に関する。
【背景技術】
【０００２】
本発明を適用できる無線通信システムの一例として、３ＧＰＰ ＬＴＥ（3rd Generation Partnership Project Long Term Evolution；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Evolved Universal Mobile Telecommunications System）は、既存のＵＭＴＳ（Universal Mobile Telecommunications System）から進展したシステムであり、現在３ＧＰＰで基礎的な標準化作業が進行中である。一般に、Ｅ−ＵＭＴＳをＬＴＥ（Long Term Evolution）システムと呼ぶこともできる。ＵＭＴＳおよびＥ−ＵＭＴＳの技術規格（technical specification）の詳細な内容は、それぞれ、「3rd Generation Partnership Project；Technical Specification Group Radio Access Network」のRelease 7およびRelease 8を参照されたい。
【０００４】
図１を参照すると、Ｅ−ＵＭＴＳは、端末（User Equipment；ＵＥ）、基地局（eNodeB；ｅＮＢ）、および、ネットワーク（Ｅ−ＵＴＲＡＮ）の終端に位置して外部ネットワークに接続するアクセスゲートウェイ（Access Gateway；ＡＧ）を有する。基地局は、ブロードキャストサービス、マルチキャストサービスおよび／またはユニキャストサービスのためにマルチデータストリームを同時に送信することができる。
【０００５】
一つの基地局には一つまたは複数のセルが存在する。セルは、１．２５、２．５、５、１０、１５、２０ＭＨｚなどの帯域幅のいずれか一つに設定され、複数の端末に下りまたは上り送信サービスを提供する。異なったセルは、互いに異なった帯域幅を提供するように設定されてもよい。基地局は、複数の端末に関するデータ送受信を制御する。下りリンク（DownLink；ＤＬ）データについて、基地局は、下りリンクスケジューリング情報を送信し、該当の端末にデータが送信される時間／周波数領域、符号化、データサイズ、ＨＡＲＱ（Hybrid Automatic Repeat and reQuest）関連情報などを知らせる。また、上りリンク（UpLink；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局間においては、ユーザトラフィックまたは制御トラフィックの送信のためのインターフェースを用いることができる。コアネットワーク（Core Network；ＣＮ）は、ＡＧ、および端末のユーザ登録などのためのネットワークノードなどで構成可能である。ＡＧは、複数のセルで構成されるＴＡ（Tracking Area）単位で端末の移動性を管理する。
【０００６】
無線通信技術は、ＷＣＤＭＡ（登録商標）に基づいてＬＴＥまで開発されてきたが、ユーザおよび事業者の要求および期待は増す一方である。その上、他の無線接続技術の開発が続いており、将来、競争力を持つためには新しい技術の進化が要求される。ビット当たりのコストの削減、サービス利用可能性（availability）の増大、柔軟な周波数帯域の使用、単純構造、オープンインターフェース、端末の適度な電力消費などが要求される。
【発明の概要】
【発明が解決しようとする課題】
【０００７】
上述したような議論に基づき、以下では、無線通信システムにおいて下りリンク信号を送受信する方法およびそのための装置を提案する。
【課題を解決するための手段】
【０００８】
本発明の一様相である、無線通信システムにおいて、端末が、複数のセルからセミパーシステントスケジューリング（Semi Persistent Scheduling；ＳＰＳ）方式によって下りリンク信号を受信する方法は、第１サブフレームにおいて、ＳＰＳ方式の活性化を示す第１タイプスケジューリング情報または第２タイプスケジューリング情報を、複数のセルのうちのサービングセルから受信するステップと、第１タイプスケジューリング情報または第２タイプスケジューリング情報に有されるリソース割当情報によって、第１サブフレームと第１サブフレーム以降に上位層を通して設定された第２サブフレームとにおいて、下りリンク信号を複数のセルのうちの一つのセルから受信するステップと、を有し、第１タイプスケジューリング情報は、サービングセルと一つのセルとの疑似コロケーション（Quasi Co-Location；ＱＣＬ）情報を有し、第１サブフレームおよび第２サブフレームに適用されるＱＣＬ情報は、スケジューリング情報のタイプによって変更される。
【０００９】
一方、本発明の他の様相である、無線通信システムにおいて、ネットワークが、複数のセルを介してＳＰＳ方式によって下りリンク信号を端末に送信する方法は、第１サブフレームにおいて、ＳＰＳ方式の活性化を示す第１タイプスケジューリング情報または第２タイプスケジューリング情報を、複数のセルのうちのサービングセルを通して送信するステップと、第１タイプスケジューリング情報または第２タイプスケジューリング情報に有されるリソース割当情報によって、第１サブフレームと第１サブフレーム以降に上位層を通して設定された第２サブフレームとにおいて、下りリンク信号を複数のセルのうちの一つのセルを介して送信するステップと、を有し、第１タイプスケジューリング情報は、サービングセルと一つのセルとのＱＣＬ情報を有し、第１サブフレームおよび第２サブフレームに適用されるＱＣＬ情報は、スケジューリング情報のタイプによって変更される。
【００１０】
ここで、第１タイプスケジューリング情報を送受信した場合、第１サブフレームおよび第２サブフレームにおいて送受信される下りリンク信号は、第１タイプスケジューリング情報に有されるＱＣＬ情報に基づいて処理されてもよい。
【００１１】
一方、第２タイプスケジューリング情報を送受信した場合、第１サブフレームおよび第２サブフレームにおいて送受信される下りリンク信号は、上位層によって定義されたデフォルトＱＣＬ情報に基づいて処理されてもよい。
【００１２】
より好ましくは、第２タイプスケジューリング情報は、サービングセルと一つのセルとのＱＣＬ情報を有しない。
【００１３】
さらに、ＱＣＬ情報は、下りリンク信号を復調するための参照信号との広域特性（Large scale property）が同一であると仮定可能な所定の参照信号を示すことを特徴とし、所定の参照信号は、チャネル状態情報参照信号（Channel Status Information-Reference Signal；ＣＳＩ−ＲＳ）であると好ましい。より好ましくは、広域特性は、ドップラ拡散（Doppler spread）、ドップラシフト（Doppler shift）、平均遅延（average delay）および遅延拡散（delay spread）のうちの少なくとも一つを有する。
【発明の効果】
【００１４】
本発明の実施例によれば、無線通信システムにおいて下りリンク信号をより効率的に送受信することができる。
【００１５】
本発明で得られる効果は、以上で言及した効果に制限されず、言及していない別の効果は、下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮとの間の無線インターフェースプロトコル（Radio Interface Protocol）のコントロールプレーン（Control Plane）およびユーザプレーン（User Plane）の構造を示す図である。
【図３】３ＧＰＰシステムに用いられる物理チャネルおよびこれらのチャネルを用いた一般的な信号送信方法を説明するための図である。
【図４】ＬＴＥシステムで用いられる無線フレームの構造を例示する図である。
【図５】ＬＴＥシステムで用いられる下りリンク無線フレームの構造を例示する図である。
【図６】ＬＴＥシステムで用いられる上りリンクサブフレームの構造を例示する図である。
【図７】一般的なマルチアンテナ（ＭＩＭＯ）通信システムを示す構成図である。
【図８】４個のアンテナを用いた下りリンク送信をサポートするＬＴＥシステムにおける下りリンク参照信号の構造を示す図である。
【図９】４個のアンテナを用いた下りリンク送信をサポートするＬＴＥシステムにおける下りリンク参照信号の構造を示す図である。
【図１０】現在３ＧＰＰ標準文書で定義される下りリンクＤＭ−ＲＳ割当の例を示す図である。
【図１１】現在３ＧＰＰ標準文書で定義される下りリンクＣＳＩ−ＲＳ設定のうち、一般ＣＰの場合におけるＣＳＩ−ＲＳ設定＃０を例示する図である。
【図１２】次世代通信システムにおいてマルチノードシステムを例示する図である。
【図１３】ＥＰＤＣＣＨ、およびＥＰＤＣＣＨによってスケジューリングされるＰＤＳＣＨを例示する図である。
【図１４】本発明の一実施例に係る通信装置を示すブロック構成図である。
【発明を実施するための形態】
【００１７】
以下の添付図面を参照して説明された本発明の実施例から、本発明の構成、作用および他の特徴が容易に理解されるであろう。以下に説明される実施例は、本発明の技術的特徴が３ＧＰＰシステムに適用された例である。
【００１８】
本明細書では、ＬＴＥシステムおよびＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式またはＴＤＤ方式にも容易に変形されて適用されてもよい。
【００１９】
また、本明細書では、基地局をＲＲＨ（Remote Radio Head）、ｅＮＢ、ＴＰ（Transmission Point）、ＲＰ（Reception Point）、中継機（relay）などを有する包括的な名称として使うことができる。
【００２０】
図２は、３ＧＰＰ無線接続網規格に基づく端末とＥ−ＵＴＲＡＮとの間の無線インターフェースプロトコル（Radio Interface Protocol）におけるコントロールプレーンおよびユーザプレーンの構造を示す図である。コントロールプレーンとは、端末（ＵＥ）とネットワークとが呼を管理するために用いる制御メッセージが送信されるパス（path）のことを意味する。ユーザプレーンとは、アプリケーション層で生成されたデータ、例えば、音声データまたはインターネットパケットデータなどが送信されるパスのことを意味する。
【００２１】
第１層である物理層は、物理チャネル（Physical Channel）を用いて、上位層に情報送信サービス（Information Transfer Service）を提供する。物理層は、上位の媒体接続制御（Medium Access Control）層と、送信チャネル（Transport Channel）を介して接続されている。該送信チャネルを通じて、媒体接続制御層と物理層との間でデータが移動する。送信側の物理層と受信側の物理層との間では、物理チャネルを通じてデータが移動する。該物理チャネルは、時間および周波数を無線リソースとして活用する。具体的には、物理チャネルは、下りリンクにおいてＯＦＤＭＡ（Orthogonal Frequency Division Multiple Access）方式で変調され、上りリンクにおいてＳＣ−ＦＤＭＡ（Single Carrier Frequency Division Multiple Access）方式で変調される。
【００２２】
第２層の媒体接続制御（Medium Access Control；ＭＡＣ）層は、論理チャネル（Logical Channel）を通じて、上位層である無線リンク制御（Radio Link Control；ＲＬＣ）層にサービスを提供する。第２層のＲＬＣ層は、信頼できるデータ送信をサポートする。ＲＬＣ層の機能は、ＭＡＣ内部の機能ブロックとして実現されてもよい。第２層のＰＤＣＰ（Packet Data Convergence Protocol）層は、帯域幅の狭い無線インターフェースでＩＰｖ４やＩＰｖ６などのＩＰパケットを効率的に送信するために、余分な制御情報を減らすヘッダ圧縮（Header Compression）機能を果たす。
【００２３】
第３層の最下部に位置する無線リソース制御（Radio Resource Control；ＲＲＣ）層は、コントロールプレーンでのみ定義される。ＲＲＣ層は、無線ベアラ（Radio Bearer）の設定（Configuration）、再設定（Re−configuration）および解除（Release）に関連して、論理チャネル、送信チャネルおよび物理チャネルの制御を担当する。無線ベアラ（ＲＢ）とは、端末とネットワークとの間のデータ伝達のために第２層により提供されるサービスのことを意味する。そのために、端末のＲＲＣ層とネットワークのＲＲＣ層とは、ＲＲＣメッセージを互いに交換する。端末のＲＲＣ層とネットワークのＲＲＣ層との間にＲＲＣ接続（RRC Connected）がある場合、端末は、ＲＲＣ接続状態（Connected Mode）であり、そうでない場合、ＲＲＣ休止状態（Idle Mode）である。ＲＲＣ層の上位にあるＮＡＳ（Non-Access Stratum）層は、セッション管理（Session Management）および移動性管理（Mobility Management）などの機能を果たす。
【００２４】
ネットワークから端末にデータを送信する下り送信チャネルとしては、システム情報を送信するＢＣＨ（Broadcast CHannel）、ページングメッセージを送信するＰＣＨ（Paging CHannel）、ユーザトラフィックや制御メッセージを送信する下りＳＣＨ（Shared CHannel）などがある。下りマルチキャストまたは放送サービスのトラフィックまたは制御メッセージは、下りＳＣＨを通じて送信されてもよく、別の下りＭＣＨ（Multicast CHannel）を通じて送信されてもよい。一方、端末からネットワークにデータを送信する上り送信チャネルとしては、初期制御メッセージを送信するＲＡＣＨ（Random Access CHannel）、ユーザトラフィックや制御メッセージを送信する上りＳＣＨ（Shared CHannel）がある。送信チャネルの上位に存在し、送信チャネルにマッピングされる論理チャネル（Logical Channel）としては、ＢＣＣＨ（Broadcast Control CHannel)、ＰＣＣＨ（Paging Control CHannel）、ＣＣＣＨ（Common Control CHannel）、ＭＣＣＨ（Multicast Control CHannel）、ＭＴＣＨ（Multicast Traffic CHannel）などがある。
【００２５】
図３は、３ＧＰＰシステムに用いられる物理チャネルおよびこれらのチャネルを用いた一般的な信号送信方法を説明するための図である。
【００２６】
端末は、電源が入ったり、新しいセルに進入したりした場合に、基地局と同期を取るなどの初期セル探索（Initial cell search）作業を行う（Ｓ３０１）。そのために、端末は、基地局からプライマリ同期チャネル（Primary Synchronization CHannel；Ｐ−ＳＣＨ）およびセカンダリ同期チャネル（Secondary Synchronization CHannel；Ｓ−ＳＣＨ）を受信して基地局と同期を取り、セルＩＤなどの情報を取得してもよい。その後、端末は、基地局から物理放送チャネル（Physical Broadcast CHannel）を受信し、セル内の放送情報を取得できる。一方、端末は、初期セル探索段階で、下りリンク参照信号（DownLink Reference Signal；ＤＬ ＲＳ）を受信し、下りリンクチャネル状態を確認できる。
【００２７】
初期セル探索を終えた端末は、物理下りリンク制御チャネル（Physical Downlink Control CHannel；ＰＤＣＣＨ）、および該ＰＤＣＣＨに載せられた情報に基づいて物理下りリンク共有チャネル（Physical Downlink Control CHannel；ＰＤＳＣＨ）を受信することによって、より具体的なシステム情報を取得できる（Ｓ３０２）。
【００２８】
一方、基地局に最初に接続する場合または信号送信のための無線リソースがない場合には、端末は、基地局に対してランダムアクセス手順（Random Access Procedure；ＲＡＣＨ）を行ってもよい（Ｓ３０３乃至Ｓ３０６）。そのために、端末は、物理ランダムアクセスチャネル（Physical Random Access CHannel；ＰＲＡＣＨ）を通じて特定シーケンスをプリアンブルとして送信し（Ｓ３０３およびＳ３０５）、ＰＤＣＣＨおよび対応するＰＤＳＣＨを通じて、プリアンブルに対する応答メッセージを受信してもよい（Ｓ３０４およびＳ３０６）。コンテンション（contention）ベースのＲＡＣＨについては、衝突解決手順（Contention Resolution Procedure）をさらに行ってもよい。
【００２９】
上述の手順を行った端末は、以降、一般的な上りリンク／下りリンク信号送信手順として、ＰＤＣＣＨ／ＰＤＳＣＨ受信（Ｓ３０７）、および、物理上りリンク共有チャネル（Physical Uplink Shared CHannel；ＰＵＳＣＨ）／物理上りリンク制御チャネル（Physical Uplink Control CHannel；ＰＵＣＣＨ）送信（Ｓ３０８）を行ってもよい。特に、端末は、ＰＤＣＣＨを通じて下りリンク制御情報（Downlink Control Information；ＤＣＩ）を受信する。ここで、ＤＣＩは、端末に対するリソース割当情報などの制御情報を有しており、その使用目的によってフォーマットが異なっている。
【００３０】
一方、端末が上りリンクを通じて基地局に送信する、または、端末が基地局から受信する制御情報としては、下りリンク／上りリンクＡＣＫ／ＮＡＣＫ信号、ＣＱＩ（Channel Quality Indicator）、ＰＭＩ（Precoding Matrix Index）、ＲＩ（Rank Indicator）などを有する。３ＧＰＰ  ＬＴＥシステムでは、端末は、これらのＣＱＩ／ＰＭＩ／ＲＩなどの制御情報をＰＵＳＣＨおよび／またはＰＵＣＣＨを通じて送信してもよい。
【００３１】
図４は、ＬＴＥシステムで用いられる無線フレームの構造を例示する図である。
【００３２】
図４を参照すると、無線フレーム（radio frame）は、１０ｍｓ（３２７２００×Ｔs）の長さを有し、１０個の均等なサイズのサブフレーム（subframe）で構成されている。それぞれのサブフレームは１ｍｓの長さを有し、２個のスロット（slot）で構成されている。それぞれのスロットは０．５ｍｓ（１５３６０×Ｔs）の長さを有する。ここで、Ｔsはサンプリング時間を表し、Ｔs＝１／（１５ｋＨｚ×２０４８）＝３．２５５２×１０-8（約３３ｎｓ）で表示される。スロットは、時間領域において複数のＯＦＤＭシンボルを有し、周波数領域において複数のリソースブロック（Resource Block；ＲＢ）を有する。ＬＴＥシステムにおいて、一つのリソースブロックは、１２個の副搬送波×７（６）個のＯＦＤＭシンボルを有する。データの送信される単位時間であるＴＴＩ（Transmission Time Interval）は、一つまたは複数のサブフレーム単位で定めることができる。上述した無線フレームの構造は例示に過ぎず、無線フレームが有するサブフレームの数、サブフレームが有するスロットの数、またはスロットが有するＯＦＤＭシンボルの数は、様々に変更されてもよい。
【００３３】
図５は、下りリンク無線フレームにおいて一つのサブフレームの制御領域が有する制御チャネルを例示する図である。
【００３４】
図５を参照すると、サブフレームは１４個のＯＦＤＭシンボルで構成されている。サブフレーム設定によって先頭の１乃至３個のＯＦＤＭシンボルは制御領域として用いられ、残りの１３〜１１個のＯＦＤＭシンボルはデータ領域として用いられる。同図で、Ｒ１乃至Ｒ４は、アンテナ０乃至３に対する参照信号（Reference Signal（ＲＳ）またはPilot Signal）を表す。ＲＳは、制御領域およびデータ領域を問わず、サブフレーム内で一定のパターンに固定される。制御チャネルは、制御領域においてＲＳの割り当てられていないリソースに割り当てられ、トラフィックチャネルもデータ領域においてＲＳの割り当てられていないリソースに割り当てられる。制御領域に割り当てられる制御チャネルには、ＰＣＦＩＣＨ（Physical Control Format Indicator CHannel）、ＰＨＩＣＨ（Physical Hybrid-ARQ Indicator CHannel）、ＰＤＣＣＨ（Physical Downlink Control CHannel）などがある。
【００３５】
ＰＣＦＩＣＨは物理制御フォーマット指示子チャネルで、サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨおよびＰＤＣＣＨに優先して設定される。ＰＣＦＩＣＨは４個のＲＥＧ（Resource Element Group）で構成され、それぞれのＲＥＧは、セルＩＤ（Cell IDentity）に基づいて制御領域内で分散される。一つのＲＥＧは、４個のＲＥ（Resource Element）で構成される。ＲＥは、１副搬送波×１ ＯＦＤＭシンボルとして定義される最小物理リソースを表す。ＰＣＦＩＣＨ値は、帯域幅によって１〜３または２〜４の値を指示し、ＱＰＳＫ（Quadrature Phase Shift Keying）で変調される。
【００３６】
ＰＨＩＣＨは、物理ＨＡＲＱ（Hybrid-Automatic Repeat and request）指示子チャネルで、上りリンク送信に対するＨＡＲＱ ＡＣＫ／ＮＡＣＫを運ぶために用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル固有（cell-specific）にスクランブル（scrambling）される。ＡＣＫ／ＮＡＣＫは１ビットで指示され、ＢＰＳＫ（Binary phase shift keying）で変調される。変調されたＡＣＫ／ＮＡＣＫは、拡散因子（Spreading Factor；ＳＦ）＝２または４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域および／または時間領域においてダイバーシチ利得を得るために３回反復（repetition）される。
【００３７】
ＰＤＣＣＨは、物理下りリンク制御チャネルで、サブフレームにおける先頭のｎ個のＯＦＤＭシンボルに割り当てられる。ここで、ｎは１以上の整数で、ＰＣＦＩＣＨによって指示される。ＰＤＣＣＨは、一つまたは複数のＣＣＥで構成される。ＰＤＣＣＨは、送信チャネルであるＰＣＨ（Paging CHannel）およびＤＬ−ＳＣＨ（DownLink-Shared CHannel）のリソース割当に関する情報、上りリンクスケジューリンググラント（Uplink Scheduling Grant）、ＨＡＲＱ情報などを各端末または端末グループに知らせる。ＰＣＨ（Paging CHannel）およびＤＬ−ＳＣＨ（DownLink-Shared CHannel）は、ＰＤＳＣＨを通じて送信される。したがって、基地局と端末は、一般に、特定の制御情報または特定のサービスデータ以外は、ＰＤＳＣＨを通じてデータをそれぞれ送信および受信する。
【００３８】
ＰＤＳＣＨのデータがいずれの端末（一つまたは複数の端末）に送信されるか、これらの端末がどのようにＰＤＳＣＨデータを受信してデコードしなければならないかに関する情報などは、ＰＤＣＣＨに有されて送信される。例えば、特定のＰＤＣＣＨが、「Ａ」というＲＮＴＩ（Radio Network Temporary Identity）でＣＲＣマスクされており、「Ｂ」という無線リソース（例、周波数位置）および「Ｃ」というＤＣＩフォーマット、すなわち、伝送形式の情報（例、伝送ブロックサイズ、変調方式、コーディング情報など）を用いて送信されるデータに関する情報が、特定のサブフレームで送信されると仮定する。この場合、セル内の端末は、自体が持っているＲＮＴＩ情報を用いて、検索領域でＰＤＣＣＨをモニタリング、すなわち、ブラインドデコードし、「Ａ」のＲＮＴＩを持っている一つまたは複数の端末があると、これらの端末はＰＤＣＣＨを受信し、受信したＰＤＣＣＨの情報に基づいて「Ｂ」および「Ｃ」によって指示されるＰＤＳＣＨを受信する。
【００３９】
図６は、ＬＴＥシステムで用いられる上りリンクサブフレームの構造を示す図である。
【００４０】
図６を参照すると、上りリンクサブフレームは、制御情報を運ぶＰＵＣＣＨ（Physical Uplink Control CHannel）が割り当てられる領域と、ユーザデータを運ぶＰＵＳＣＨ（Physical Uplink Shared CHannel）が割り当てられる領域とに区別される。サブフレームにおいて中間部分がＰＵＳＣＨに割り当てられ、周波数領域においてデータ領域の両側部分がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Channel Quality Indicator）、ＭＩＭＯのためのＲＩ（Rank Indicator）、上りリンクリソース割当要求であるＳＲ（Scheduling Request）などがある。一つの端末に対するＰＵＣＣＨは、サブフレーム内の各スロットで互いに異なる周波数を占める一つのリソースブロックを使用する。すなわち、ＰＵＣＣＨに割り当てられる２個のリソースブロックは、スロット境界で周波数ホッピング（frequency hopping）する。特に、図６は、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられるとしている。
【００４１】
以下、ＭＩＭＯシステムについて説明する。ＭＩＭＯ（Multiple-Input Multiple-Output）は、複数個の送信アンテナと複数個の受信アンテナとを使用する方法で、この方法によりデータの送受信効率を向上させることができる。すなわち、無線通信システムの送信端または受信端で複数個のアンテナを使用することによって容量を増大させ、性能を向上させることができる。以下、本文献ではＭＩＭＯを「マルチアンテナ」と呼ぶこともできる。
【００４２】
マルチアンテナ技術では、一つのメッセージ全体を受信するのに単一のアンテナ経路に依存せず、複数のアンテナで受信されたデータ断片（fragment）を集めて組み合わせる（collect and combine）ことによってデータを完成させる。マルチアンテナ技術を用いると、特定のサイズのセル領域内でデータ転送速度（transfer rate）を向上させたり、または、特定のデータ伝送速度を保障しながらシステムカバレッジ（coverage）を増大させることができる。また、この技術は、移動通信端末および中継機などに幅広く使用可能である。マルチアンテナ技術によれば、単一のアンテナを使用した従来技術による移動通信における伝送量の限界を克服することが可能になる。
【００４３】
一般的なマルチアンテナ（ＭＩＭＯ）通信システムの構成図が、図７に示されている。送信端では送信アンテナがＮT個設けられており、受信端では受信アンテナがＮR個設けられている。このように送信端および受信端の両方が複数個のアンテナを使用する場合は、送信端または受信端のいずれか一方のみ複数個のアンテナを使用する場合に比べて、理論的チャネル伝送容量がより増加する。チャネル伝送容量の増加はアンテナの数に比例する。これにより、転送速度が向上し、周波数効率が向上する。１個のアンテナを使用する場合の最大転送速度をＲoとすれば、マルチアンテナを使用する場合の転送速度は、理論的に、下記の数式（１）のように、最大伝送レートＲoにレート増加率Ｒiを掛けた分だけ増加可能となる。ここで、Ｒiは、ＮTとＮRのうちの小さい値を表す。
【００４４】
【数１】
0006352935.tif 000002
【００４５】
例えば、４個の送信アンテナと４個の受信アンテナとを用いるＭＩＭＯ通信システムでは、単一アンテナシステムに比べて理論上、４倍の転送速度を取得できる。このようなマルチアンテナシステムの理論的容量の増加が９０年代半ばに証明されて以来、これを実質的なデータ伝送速度（transmission rate）の向上へと導くための種々の技術が現在まで活発に研究されている。それらのいくつかの技術は、既に第３世代移動通信および次世代無線ＬＡＮなどの様々な無線通信の標準に反映されている。
【００４６】
現在までのマルチアンテナ関連の研究動向をみると、様々なチャネル環境およびマルチ接続環境におけるマルチアンテナの通信容量の計算などと関連した情報理論の側面での研究、マルチアンテナシステムの無線チャネル測定およびモデル化の研究、並びに、伝送信頼度の向上および伝送速度の向上のための時空間信号処理技術の研究などを含め、様々な観点で活発に研究が進行されている。
【００４７】
マルチアンテナシステムにおける通信方法をより具体的な方法で説明すべく、それを数学的にモデル化すると、次のように示すことができる。図７に示すように、ＮT個の送信アンテナとＮR個の受信アンテナとが存在するとする。まず、送信信号について説明すると、ＮT個の送信アンテナがある場合に、送信可能な最大情報はＮT個であるから、送信情報を下記の数式（２）のようなベクトルで表現できる。
【００４８】
【数２】
0006352935.tif 000003
【００４９】
【数３】
0006352935.tif 000004
【００５０】
【数４】
0006352935.tif 000005
【００５１】
【数５】
0006352935.tif 000006
【００５２】
【数６】
0006352935.tif 000007
【００５３】
【数７】
0006352935.tif 000008
【００５４】
【数８】
0006352935.tif 000009
【００５５】
一般に、チャネル行列のランクの物理的な意味は、与えられたチャネルで互いに異なった情報を送信できる最大数を意味する。したがって、チャネル行列のランク（rank）は、互いに独立した（independent）行（row）または列（column）の個数のうち、最小の個数として定義され、よって、行列のランクは、行（row）または列（column）の個数より大きくなることはない。数学的に例を挙げると、チャネル行列Ｈのランク（ｒａｎｋ(Ｈ)）は、数式（６）のように制限される。
【００５６】
【数９】
0006352935.tif 000010
【００５７】
また、マルチアンテナ技術を用いて送る互いに異なった情報のそれぞれを「送信ストリーム（Stream）」、または簡単に「ストリーム」と定義するものとする。このような「ストリーム」は、「レイヤ（Layer）」と呼ぶこともできる。そのため、送信ストリームの個数は当然ながら、互いに異なった情報を送信できる最大数であるチャネルのランクより大きくなることはない。したがって、チャネル行列Ｈは、下記の数式（７）のように表すことができる。
【００５８】
【数１０】
0006352935.tif 000011
【００５９】
ここで、「＃ ｏｆ ｓｔｒｅａｍｓ」は、ストリームの数を表す。一方、ここで、１個のストリームは１つまたは複数のアンテナから送信可能であるということに留意されたい。
【００６０】
１つまたは複数のストリームを複数のアンテナに対応させる様々な方法が存在する。この方法を、マルチアンテナ技術の種類によって次のように説明できる。１個のストリームが複数のアンテナから送信される場合は、空間ダイバーシチ方式といえ、複数のストリームが複数のアンテナから送信される場合は、空間マルチプレクシング方式といえる。勿論、これらの空間ダイバーシチと空間マルチプレクシングとを組み合わせたハイブリッド方式（Hybrid method）を用いてもよい。
【００６１】
一方、次世代移動通信システムの標準であるＬＴＥ−Ａシステムでは、データ伝送速度の向上のために、既存の標準ではサポートしていなかったＣｏＭＰ（Coordinated Multi Point）送信方式をサポートすることが予想される。ここで、ＣｏＭＰ送信方式とは、陰影地域（shadow region）にある端末と基地局（セルまたはセクタ）との間の通信性能を向上させるために、２個以上の基地局またはセルが互いに協調して端末と通信するための送信方式のことをいう。
【００６２】
ＣｏＭＰ送信方式は、データ共有を用いた協調ＭＩＭＯ形態のジョイントプロセシング（CoMP-Joint Processing；ＣｏＭＰ−ＪＰ）方式と協調スケジューリング／ビームフォーミング（CoMP-Coordinated Scheduling／beamforming；ＣｏＭＰ−ＣＳ／ＣＢ）方式とに区別することができる。
【００６３】
下りリンクの場合、ジョイントプロセシング（ＣｏＭＰ−ＪＰ）方式において、端末は、ＣｏＭＰ送信方式を行う各基地局からデータを瞬間に同時に受信することができ、各基地局から受信した信号を結合して受信性能を向上させることができる（Joint Transmission；ＪＴ）。また、ＣｏＭＰ送信方式を行う基地局のいずれか一つが特定の時点で端末にデータを送信する方法も考慮することができる（Dynamic Point Selection；ＤＰＳ）。
【００６４】
これとは違い、協調スケジューリング／ビームフォーミング方式（ＣｏＭＰ−ＣＳ／ＣＢ）では、端末は、ビームフォーミングを通じてデータを瞬間に一つの基地局、すなわち、サービング基地局から受信することができる。
【００６５】
上りリンクの場合、ジョイントプロセシング（ＣｏＭＰ−ＪＰ）方式において、各基地局は、端末からＰＵＳＣＨ信号を同時に受信することができる（Joint Reception；ＪＲ）。これとは違い、協調スケジューリング／ビームフォーミング方式（ＣｏＭＰ−ＣＳ／ＣＢ）では、一つの基地局のみがＰＵＳＣＨを受信するが、このとき、協調スケジューリング／ビームフォーミング方式を用いるという決定は、協調セル（または、基地局）によって決定される。
【００６６】
以下では、参照信号についてより詳しく説明する。
【００６７】
一般に、チャネル測定のために、データと共に送信側および受信側の両方で既に知っている参照信号が送信側から受信側に送信される。このような参照信号は、チャネル測定に加え、変調方式を知らせて復調過程が行われるようにする役割を果たす。参照信号は、基地局と特定端末のための専用参照信号（Dedicated RS；ＤＲＳ）、すなわち、端末固有の参照信号と、セル内の全端末のためのセル固有の参照信号である共通参照信号（Common RSまたはCell specific RS；ＣＲＳ）と、に区別される。また、セル固有参照信号は、端末がＣＱＩ／ＰＭＩ／ＲＩを測定して基地局に報告するための参照信号を含み、これをＣＳＩ−ＲＳ（Channel State Information-RS）と称する。
【００６８】
図８および図９は、４個のアンテナを用いた下りリンク送信をサポートするＬＴＥシステムにおける参照信号の構造を示す図である。特に、図８は一般（normal）ＣＰ（Cyclic Prefix）の場合を示し、図９は拡張（extended）ＣＰの場合を示す。
【００６９】
図８および図９を参照すると、格子に記載された０乃至３は、アンテナポート０乃至３のそれぞれに対応し、チャネル測定およびデータ復調のために送信されるセル固有参照信号であるＣＲＳ（Common Reference Signal）を意味し、セル固有参照信号のＣＲＳは、データ情報領域の他、制御情報領域全般にわたっても端末に送信されている。
【００７０】
また、格子に記載された「Ｄ」は、端末固有ＲＳである下りリンクＤＭ−ＲＳ（DeModulation-RS）を意味し、ＤＭ−ＲＳは、データ領域、すなわち、ＰＤＳＣＨを通じて単一アンテナポート送信をサポートする。端末固有ＲＳであるＤＭ−ＲＳの存在の有無は、上位層を通じて端末にシグナリングされる。図８および図９は、アンテナポート５に対応するＤＭ−ＲＳを例示しており、３ＧＰＰ標準文書３６．２１１では、アンテナポート７乃至１４、すなわち、合計８個のアンテナポートに対するＤＭ−ＲＳも定義している。
【００７１】
図１０は、現在３ＧＰＰ標準文書で定義している下りリンクＤＭ−ＲＳ割当の例を示す図である。
【００７２】
図１０を参照すると、ＤＭ−ＲＳグループ１には、アンテナポート｛７、８、１１、１３｝に該当するＤＭ−ＲＳが、アンテナポート別シーケンスを用いてマッピングされ、ＤＭ−ＲＳグループ２には、アンテナポート｛９、１０、１２、１４｝に該当するＤＭ−ＲＳが、同様に、アンテナポート別シーケンスを用いてマッピングされる。
【００７３】
一方、上述したＣＳＩ−ＲＳは、ＣＲＳとは別にＰＤＳＣＨに対するチャネル測定を目的に提案されており、ＣＲＳとは違い、ＣＳＩ−ＲＳは、マルチセル環境でセル間干渉（Inter-Cell Interference；ＩＣＩ）を減らすために、最大３２通りの異なったリソース設定（configuration）が定義されてもよい。
【００７４】
ＣＳＩ−ＲＳ（リソース）設定は、アンテナポートの個数によってそれぞれ異なり、隣接セル間では、できるだけ異なった（リソース）設定として定義されたＣＳＩ−ＲＳが送信されるように構成される。ＣＳＩ−ＲＳは、ＣＲＳとは違い、最大８個のアンテナポートまでサポートし、３ＧＰＰ標準文書では、アンテナポート１５乃至２２までの合計８個のアンテナポートをＣＳＩ−ＲＳのためのアンテナポートとして割り当てる。下記の表１および表２は、３ＧＰＰ標準文書で定義しているＣＳＩ−ＲＳ設定を示すものであり、特に、表１は、一般ＣＰ（Normal CP）の場合を、表２は、拡張ＣＰ（Extended CP）の場合を示している。
【００７５】
【表１】
0006352935.tif 000012
【００７６】
【表２】
0006352935.tif 000013
【００７７】
【数１１】
0006352935.tif 000014
【００７８】
【数１２】
0006352935.tif 000015
【００７９】
【表３】
0006352935.tif 000016
【００８０】
【数１３】
0006352935.tif 000017
【００８１】
【表４】
0006352935.tif 000018
【００８２】
参考として、現在の３ＧＰＰ標準文書によれば、ＣＱＩインデックスと、それに対応する変調次数、コーディングレートなどとは、下記の表５の通りである。
【００８３】
【表５】
0006352935.tif 000019
【００８４】
一方、干渉測定を用いたＣＱＩ計算のための動作は、下記の通りである。
【００８５】
端末は、ＣＱＩ計算の際に必要な因子としてＳＩＮＲを算出する必要があり、この場合、所望の（Desired）信号の受信電力測定（Ｓ−ｍｅａｓｕｒｅ）をＮＺＰ ＣＳＩ−ＲＳなどのＲＳを用いて行うことができ、干渉電力測定（Ｉ−ｍｅａｓｕｒｅまたはＩＭ（Interference Measurement））のために、上記受信した信号から所望の信号を除去した干渉信号の電力を測定する。
【００８６】
【数１４】
0006352935.tif 000020
【００８７】
以下、下りリンクデータチャネルの送信モードについて例示する。
【００８８】
現在３ＧＰＰ ＬＴＥ標準文書、具体的には３ＧＰＰ ＴＳ ３６．２１３文書では、下記の表６および表７のように、下りリンクデータチャネル送信モードについて定義している。また、下記の送信モードは、上位層シグナリング、すなわち、ＲＲＣシグナリングで端末に設定される。
【００８９】
【表６】
0006352935.tif 000021
【００９０】
【表７】
0006352935.tif 000022
【００９１】
表６および表７を参照すると、現在の３ＧＰＰ ＬＴＥ標準文書では、ＰＤＣＣＨにマスクされたＲＮＴＩの種類による下りリンク制御情報（Downlink Control Information；ＤＣＩ）フォーマットが定義されており、特に、Ｃ−ＲＮＴＩおよびＳＰＳ Ｃ−ＲＮＴＩの場合、送信モードと、それに対応するＤＣＩフォーマット、すなわち、送信モードベースのＤＣＩフォーマットと、を示している。また、それぞれの送信モードに関係なく適用可能な、すなわち、フォールバック（Fall-back）モードのためのＤＣＩフォーマット１Ａが定義されている。上記表６は、ＰＤＣＣＨにマスクされたＲＮＴＩの種類がＣ−ＲＮＴＩである場合を例示しており、上記の表７は、ＰＤＣＣＨにマスクされたＲＮＴＩの種類がＳＰＳ Ｃ−ＲＮＴＩである場合を例示している。
【００９２】
送信モードに関する動作例として、端末が表６においてＣ−ＲＮＴＩでマスクされたＰＤＣＣＨをブラインドデコードした結果、ＤＣＩフォーマット１Ｂが検出されると、単一レイヤを用いた閉ループ空間多重化方式でＰＤＳＣＨが送信されたと仮定してＰＤＳＣＨをデコードする。
【００９３】
また、上記の表６および表７で、送信モード１０は、上述したＣｏＭＰ送信方式の下りリンクデータチャネル送信モードを意味する。表６を挙げて説明すると、端末がＣ−ＲＮＴＩでマスクされたＰＤＣＣＨをブラインドデコードした結果、ＤＣＩフォーマット２Ｄが検出されると、アンテナポート７乃至１４、すなわち、ＤＭ−ＲＳに基づいてマルチレイヤ送信方式でＰＤＳＣＨが送信されるという仮定の下でＰＤＳＣＨをデコードする。或いは、ＤＭ−ＲＳアンテナポート７または８に基づいて単一アンテナ送信方式でＰＤＳＣＨが送信されるという仮定の下でＰＤＳＣＨをデコードする。
【００９４】
一方、Ｃ−ＲＮＴＩでマスクされたＰＤＣＣＨをブラインドデコードした結果、ＤＣＩフォーマット１Ａが検出されると、当該サブフレームがＭＢＳＦＮサブフレームか否かによって送信モードが変わる。例えば、当該サブフレームが非ＭＢＳＦＮサブフレームの場合、ＰＤＳＣＨは、アンテナポート０のＣＲＳに基づく単一アンテナ送信方式もしくはＣＲＳベースの送信ダイバーシチ方式で送信されたという仮定の下でデコードする。また、当該サブフレームがＭＢＳＦＮサブフレームの場合、ＰＤＳＣＨは、アンテナポート７のＤＭ−ＲＳに基づく単一アンテナ送信がなされたという仮定の下でデコードすることができる。
【００９５】
一方、近年、３ＧＰＰＬＴＥ−Ａ標準では、ＣｏＭＰ方式のＰＤＳＣＨ送信である、送信モード１０のために、ＤＣＩフォーマット２ＤにＰＱＩ（PDSCH RE Mapping and Quasi-Co-Location Indicator）フィールドを定義した。具体的には、ＰＱＩフィールドは２ビットサイズで定義され、合計４個のステート（state（状態））を示し、それぞれのステートで示す情報は、ＣｏＭＰ方式のＰＤＳＣＨを受信するためのパラメータセットであり、具体的な値は上位層によってあらかじめシグナリングされる。
【００９６】
上記パラメータセットが有する情報は、ＣＲＳアンテナポートの個数（ｃｒｓ−ＰｏｒｔｓＣｏｕｎｔ）、ＣＲＳの周波数遷移値（ｃｒｓ−ＦｒｅｑＳｈｉｆｔ）、ＭＢＳＦＮサブフレーム設定（ｍｂｓｆｎ−ＳｕｂｆｒａｍｅＣｏｎｆｉｇＬｉｓｔ）、ＺＰ ＣＳＩ−ＲＳ設定（ｃｓｉ−ＲＳ−ＣｏｎｆｉｇＺＰＩｄ）、ＰＤＳＣＨ開始シンボル（ｐｄｓｃｈ−Ｓｔａｒｔ）、ＮＺＰ（Ｎｏｎ−ＺＰ）ＣＳＩ−ＲＳのＱＣＬ（ＱｕａｓｉＣｏ−Ｌｏｃａｔｉｏｎ）情報（ｑｃｌ−ＣＳＩ−ＲＳ−ＣｏｎｆｉｇＮＺＰＩｄ）のうちの１つまたは複数である。
【００９７】
以下、ＱＣＬ（Quasi Co-Location（疑似コロケーション））について説明する。
【００９８】
アンテナポート間でＱＣＬされているということは、端末が一つのアンテナポートから受信する信号（もしくは、当該アンテナポートに対応する無線チャネル）の広域特性（large-scale properties）が、他のアンテナポートから受信する信号（もしくは、当該アンテナポートに対応する無線チャネル）の広域特性と全てまたは一部が同一だと仮定し得ることを意味する。ここで、広域特性は、周波数オフセットに関連したドップラ拡散（Doppler spread）、ドップラシフト（Doppler shift）、タイミングオフセットに関連した平均遅延（average delay）、遅延拡散（delay spread）などを有し、さらに平均利得（average gain）も有することができる。
【００９９】
上の定義によれば、端末は、ＱＣＬされていないアンテナポート、すなわち、ＮＱＣＬ（Non Quasi co-Located（非疑似コロケーション））されたアンテナポート間では、広域特性が同一であると仮定することができない。この場合、端末は、アンテナポートごとに周波数オフセットおよびタイミングオフセットなどを取得するためのトラッキング（tracking）手順を独立して行わなければならない。
【０１００】
一方、ＱＣＬされているアンテナポート間については、端末が次のような動作を行うことができるという利点がある。
【０１０１】
１）端末が特定アンテナポートに対応する無線チャネルに対する電力−遅延プロファイル（power-delay profile）、遅延拡散、ドップラスペクトル（Doppler spectrum）およびドップラ拡散推定の結果を、他のアンテナポートに対応する無線チャネルに対するチャネル推定時に用いられるウィナーフィルター（Wiener filter）パラメータなどに同一に適用することができる。
【０１０２】
２）また、端末は、特定のアンテナポートに対する時間同期および周波数同期を取った後、同一の同期を他のアンテナポートに対しても適用することができる。
【０１０３】
３）最後に、平均利得に関しても、端末は、ＱＣＬされているアンテナポートのそれぞれに対するＲＳＲＰ（Reference Signal Received Power）測定値を平均値として計算することができる。
【０１０４】
例えば、端末がＰＤＣＣＨ（もしくは、ＥＰＤＣＣＨ）を介してＤＭ−ＲＳベースの下りリンクデータチャネルスケジューリング情報、例えば、ＤＣＩフォーマット２Ｄを受信すると、端末は、当該スケジューリング情報が示すＤＭ−ＲＳシーケンスを用いてＰＤＳＣＨに対するチャネル推定を行った後、データ復調を行うことができる。
【０１０５】
このような場合、端末が下りリンクデータチャネルの復調を行うためのＤＭ−ＲＳアンテナポートが、サービングセルのＣＲＳアンテナポートとＱＣＬされていると、端末は、当該ＤＭ−ＲＳアンテナポートを用いたチャネル推定時に、自体のＣＲＳアンテナポートから推定した無線チャネルの広域特性（large-scale properties）をそのまま適用し、ＤＭ−ＲＳベース下りリンクデータチャネルの受信性能を向上させることができる。
【０１０６】
同様に、端末が下りリンクデータチャネルの復調を行うためのＤＭ−ＲＳアンテナポートがサービングセルのＣＳＩ−ＲＳアンテナポートとＱＣＬされていると、端末は、当該ＤＭ−ＲＳアンテナポートを用いたチャネル推定時に、サービングセルのＣＳＩ−ＲＳアンテナポートから推定した無線チャネルの広域特性をそのまま適用し、ＤＭ−ＲＳベース下りリンクデータチャネルの受信性能を向上させることができる。
【０１０７】
一方、ＬＴＥシステムでは、ＣｏＭＰモードである送信モード１０で下りリンク信号を送信する際、基地局が、上位層信号を用いてＱＣＬタイプＡおよびＱＣＬタイプＢのうちの一つを、端末に設定するように定義している。
【０１０８】
ここで、ＱＣＬタイプＡは、ＣＲＳ、ＣＳＩ−ＲＳとＤＭ−ＲＳのアンテナポートとが、平均利得以外の広域特性に対してＱＣＬされていると仮定するものであり、同一のノード（point）で物理チャネルおよび信号が送信されていることを意味する。
【０１０９】
一方、ＱＣＬタイプＢは、ＤＭ−ＲＳと指示された特定のＣＳＩ−ＲＳのアンテナポートとが、平均利得以外の広域特性に対してＱＣＬされていると仮定するものである。特に、ＱＣＬタイプＢは、ＤＰＳ、ＪＴなどのＣｏＭＰ送信が可能なように、端末当たり最大４個までのＱＣＬモードを上位層メッセージを用いて設定し、それらのうちどのＱＣＬモードで下りリンク信号を受信しなければならないかを動的にＤＣＩ（Downlink Control Information）を用いて設定するように定義されている。このような情報は、上記のＰＱＩフィールドのパラメータセットのうち、ｑｃｌ−ＣＳＩ−ＲＳ−ＣｏｎｆｉｇＮＺＰＩｄとして定義される。
【０１１０】
ＱＣＬタイプＢが設定された場合のＤＰＳ送信に関して、より具体的に説明する。
【０１１１】
まず、Ｎ1個のアンテナポートで構成されたノード＃１は、ＣＳＩ−ＲＳリソース（resource）＃１を送信し、Ｎ2個のアンテナポートで構成されたノード＃２は、ＣＳＩ−ＲＳリソース（resource）＃２を送信すると仮定する。この場合、ＣＳＩ−ＲＳリソース＃１をＰＱＩのパラメータセット＃１に含め、ＣＳＩ−ＲＳリソース＃２をＰＱＩのパラメータセット＃２に含める。さらに、基地局はノード＃１およびノード＃２の共通カバレッジ内に存在する端末に、上位層を通してパラメータセット＃１およびパラメータセット＃２をシグナリングする。
【０１１２】
その後、基地局が当該端末にノード＃１を介してデータ（すなわち、ＰＤＳＣＨ）送信時にＤＣＩを用いてパラメータセット＃１を設定し、ノード＃２を介してデータ送信時にパラメータセット＃２を設定する方式でＤＰＳを行うことができる。端末にとっては、ＤＣＩを通じて、ＰＱＩによってパラメータセット＃１が設定されると、ＣＳＩ−ＲＳリソース＃１とＤＭ−ＲＳとがＱＣＬされていると仮定し、ＰＱＩによってパラメータセット＃２が設定されると、ＣＳＩ−ＲＳリソース＃２とＤＭ−ＲＳとがＱＣＬされていると仮定することができる。
【０１１３】
一方、現在の無線通信環境は、Ｍ２Ｍ（Machine-to-Machine）通信および高いデータ送信量を要求する様々なデバイスの出現および普及から、セルラー網に対するデータ要求量が急増している。高いデータ要求量を満たすために、通信技術は、より多い周波数帯域を効率的に使用するためのキャリアアグリゲーション（carrier aggregation）技術などや、限定された周波数内でデータ容量を上げるためのマルチアンテナ技術、マルチ基地局協調技術などへと発展しつつあり、通信環境は、ユーザの周辺にアクセスできるノードの密度が高まる方向に進化している。このような高い密度のノードを備えたシステムは、ノード同士の協調によってより高いシステム性能を示すことができる。このような方式は、各ノードが独立した基地局（ＢＳ（Base Station）、ＡＢＳ（Advanced BS）、Ｎｏｄｅ−Ｂ（ＮＢ）、ｅＮｏｄｅ−Ｂ（ｅＮＢ）、ＡＰ（Access Point）など）として動作して互いに協調しないときに比べて格段に優れた性能を有する。
【０１１４】
図１２は、次世代通信システムにおいてマルチノードシステムを例示する図である。
【０１１５】
図１２を参照すると、全ノードが一つのコントローラによって送受信を管理され、個別ノードが一つのセルにおける一部のアンテナ集団のように動作をする場合、このシステムは、一つのセルを形成する分散マルチノードシステム（Distributed Multi Node System；ＤＭＮＳ）と見なすことができる。このとき、各ノードは、別個のＮｏｄｅ ＩＤが与えられてもよく、別個のＮｏｄｅ ＩＤを用いずにセルにおける一部のアンテナのように動作してもよい。しかし、これらのノードが異なるセル識別子（Cell IDentifier；ＩＤ）を有する場合、これはマルチセルシステムと見なすことができる。このようなマルチセルがカバレッジによって重畳形態で構成される場合、これをマルチティアネットワーク（multi-tiernetwork）と呼ぶ。
【０１１６】
一方、Ｎｏｄｅ−Ｂ、ｅＮｏｄｅ−Ｂ、ＰｅＮＢ、ＨｅＮＢ、ＲＲＨ（Remote Radio Head）、リレーおよび分散アンテナなどをノードとすることができ、一つのノードには少なくとも一つのアンテナが設けられる。ノードは、送信ポイント（Transmission Point）とも呼ばれる。ノード（node）は、通常、一定間隔以上離れているアンテナグループのことを指すが、本発明では、ノードを、間隔にかかわらず定義された任意のアンテナグループにも適用可能である。
【０１１７】
上述したマルチノードシステムおよびリレーノードの導入により、様々な通信方式の適用が可能となり、チャネル品質の改善を図ることができるが、上述したＭＩＭＯ方式およびセル間協調通信方式をマルチノード環境に適用するには新しい制御チャネルの導入が要求される。このような要求から新しく導入が議論されている制御チャネルがＥＰＤＣＣＨ（Enhanced PDCCH）であり、既存の制御領域（以下、ＰＤＣＣＨ領域）ではなくデータ領域（以下、ＰＤＳＣＨ領域という）に割り当てることが決定された。結果的に、このようなＥＰＤＣＣＨを介して各端末にノードに関する制御情報の送信が可能となり、既存のＰＤＣＣＨ領域が不足するという問題も解決することができる。参考として、ＥＰＤＣＣＨは、既存のレガシー端末には提供されず、ＬＴＥ−Ａ端末のみで受信することができる。また、ＥＰＤＣＣＨは、既存のセル固有参照信号であるＣＲＳではなくＤＭ−ＲＳ（もしくは、ＣＳＩ−ＲＳ）に基づいて送信および受信がなされる。
【０１１８】
図１３は、ＥＰＤＣＣＨ、およびＥＰＤＣＣＨによってスケジューリングされるＰＤＳＣＨを例示する図である。
【０１１９】
図１３を参照すると、ＰＤＣＣＨ１およびＰＤＣＣＨ２は、それぞれ、ＰＤＳＣＨ１およびＰＤＳＣＨ２をスケジューリングし、ＥＰＤＣＣＨは、他のＰＤＳＣＨをスケジューリングすることがわかる。特に、図１３では、ＥＰＤＣＣＨがサブフレームの４番目のシンボルから始まって最後のシンボルまで送信されるとした。ＥＰＤＣＣＨは、一般に、データを送信するＰＤＳＣＨ領域を通して送信され、端末は自体のＥＰＤＣＣＨの有無を検出するために、ＥＰＤＣＣＨ候補をモニタリングする。
【０１２０】
以下、セミパーシステントスケジューリング（Semi-persistent scheduling）方式に関して説明する。
【０１２１】
現在ＬＴＥシステムにおいてＳＰＳ（Semi-Persistent Scheduling）は、ＲＲＣシグナリングによって、どのサブフレームで（具体的には、サブフレーム周期およびオフセットで）ＳＰＳ ＰＤＳＣＨの送受信を行うべきかをＵＥにあらかじめ知らせ、実際のＳＰＳの活性化および解除は、ＰＤＣＣＨで行う。
【０１２２】
すなわち、ＵＥは、ＲＲＣシグナリングでＳＰＳ情報が割り当てられても、直ちにＳＰＳ送受信を行うのではなく、活性化（または、再活性化）を知らせるＰＤＣＣＨを受信（具体的には、ＳＰＳ Ｃ−ＲＮＴＩでマスクされたＰＤＣＣＨを検出）すると、そのＰＤＣＣＨで指定したリソース割当情報などを用いて、上記ＳＰＳ情報で指定したサブフレーム周期およびオフセットでＳＰＳ送受信を行い、ＳＰＳ解除を指示するＰＤＣＣＨを受信すると、ＳＰＳ送受信を中断する。
【０１２３】
このように中断したＳＰＳ送受信は、活性化（または、再活性化）を知らせるＰＤＣＣＨを受信すると、再びそのＰＤＣＣＨで指定したリソース割当情報などを用いて、上記ＳＰＳ情報で指定したサブフレーム周期およびオフセットでＳＰＳ送受信を再開する。
【０１２４】
＜第１実施例＞
ＵＥがＱＣＬタイプＡとして設定された場合、特定のＰＱＩステートが示すＣＲＳ関連情報、より具体的には、ＣＲＳ ＲＥによるＲＭ（Rate Matching）実行情報が非（Non）−サービングセルの情報である場合が発生しうる。このとき、サービングセルはｎｏｎ−ＭＢＳＦＮサブフレームであるが、上記ＰＱＩによって指示されたＭＢＳＦＮサブフレーム情報によれば、現サブフレームがＭＢＳＦＮサブフレームを示している場合と同一の場合であれば、指示されたＣＲＳ ＲＭ情報によってＲＭを行う場合、サービングセルのＣＲＳ ＲＥがＲＭされず、ＰＤＳＣＨ ＲＥと重なる問題が発生しうる。
【０１２５】
すなわち、ＰＤＳＣＨの特定のＲＥがサービングセルのＣＲＳと重なるという意味は、ＱＣＬタイプＡの場合には、ＰＤＳＣＨをサービングセルが送信しているため、サービングセルが当該ＲＥでＣＲＳおよびＰＤＳＣＨを同時に送信しなければならず、ＵＥがこれらを受信する場合が発生するという意味である。この場合、該当のＰＤＳＣＨ ＲＥは、ＣＲＳによって深刻な干渉を受けることになる。
【０１２６】
このような問題点は、ＰＤＳＣＨの他、ＥＰＤＣＣＨに関しても発生しうる。すなわち、ＥＰＤＣＣＨがＱＣＬタイプＡとして設定された場合、特定のＰＱＩに従うように設定でき、該特定のＰＱＩによって指示されるＣＲＳ ＲＭ情報として非−サービングセルの情報が指示されることがある。このとき、サービングセルＣＲＳとＥＰＤＣＣＨとの間で特定のＲＥにおいて衝突が発生しうる。
【０１２７】
このような不具合について次のような解決策が可能である。
【０１２８】
１）まず、ＵＥは、サービングセルＣＲＳとＰＤＳＣＨ（または、ＥＰＤＣＣＨ） ＲＥとが衝突するようにスケジューリングされることを期待しないと規定できる。指示されたＣＲＳ ＲＭ関連情報が非−サービングセルの情報である場合、例えば、現サブフレームは、サービングセルがｎｏｎ−ＭＢＳＦＮであり、上記指示されたＣＲＳ ＲＭ関連ＭＢＳＦＮＳＦ情報がＭＢＳＦＮである場合、スケジューリングを受信しないであろうと仮定することができる。ｅＮＢは、ＰＤＳＣＨ（または、ＥＰＤＣＣＨ）がＱＣＬタイプＡとして設定された場合、サービングセルがｎｏｎ−ＭＢＳＦＮサブフレームであれば、非−サービングセルのＣＲＳ ＲＭ情報を示すＰＱＩを用いてＰＤＳＣＨ（または、ＥＰＤＣＣＨ）を送信することができないということを意味し、非−サービングセルのＣＲＳ ＲＭ情報を示すＰＱＩは、サービングセルがＭＢＳＦＮサブフレームである場合にのみ使用可能であるということを意味する。
【０１２９】
２）或いは、ＵＥは、サービングセルＣＲＳとＰＤＳＣＨ（または、ＥＰＤＣＣＨ）との間で特定のＲＥにおいて衝突が発生する場合、これらのＲＥの位置においてパンクチャリング（puncturing）を適用する。すなわち、ＰＤＳＣＨ（または、ＥＰＤＣＣＨ）を受信する際、衝突するＲＥをパンクチャリングによって除外してデコーディングを行うことができる。これによって、基地局は、端末のパンクチャリング動作を認知でき、ＭＣＳ設定時にそれを考慮することができる。
【０１３０】
３）さらに、サービングセルＣＲＳとＰＤＳＣＨ（または、ＥＰＤＣＣＨ）との間で特定のＲＥにおいて衝突が発生する場合、基地局も当該ＲＥをＲＭ（Rate Matching）してＰＤＳＣＨ（または、ＥＰＤＣＣＨ）を送信する一方、ＵＥも当該ＲＥの位置においてＲＭをさらに行うよう定義されてもよい。
【０１３１】
具体的には、ＵＥがＱＣＬタイプＡとして設定された場合、基本的に、サービングセルＣＲＳ ＲＥの位置ではＲＭを常に行うよう定義できる。勿論、基地局もサービングセルＣＲＳ ＲＥの位置にはＲＭを適用する。すなわち、ＰＱＩなどによって指示されるＣＲＳ ＲＭ情報がある場合、基地局およびＵＥはマルチＲＭを行うと考えてもよい。
【０１３２】
上記ＰＱＩフィールドで示すパラメータセットは、下記の表８のように定義できる。
【０１３３】
【表８】
0006352935.tif 000023
【０１３４】
上記の表８において、ｐｄｓｃｈ−ＲＥ−ＭａｐｐｉｎｇＱＣＬ−ＣｏｎｆｉｇＩｄ−ｒ１１は１〜４の値を有するものであり、最大４個までのＰＱＩステートが存在すると仮定する。
【０１３５】
各ＰＱＩステートに、ＰＤＳＣＨ開始シンボル情報（ｐｄｓｃｈ−Ｓｔａｒｔ−ｒ１１）、一つのＺＰ ＣＳＩ−ＲＳ情報（ｃｓｉ−ＲＳ−ＩｄｅｎｔｉｔｙＺＰ−ｒ１１）、ＱＣＬおよびＣＲＳ ＲＭ関連情報（ｒｅ−ＭａｐｐｉｎｇＱＣＬ−ＣＳＩ−ＲＳ−ＩｄｅｎｔｉｔｙＮＺＰ−ｒ１１）を設定できる。
【０１３６】
このとき、ＱＣＬおよびＣＲＳ ＲＭ関連情報は、一つの特定のＮＺＰ ＣＳＩ−ＲＳリソース（ＣＳＩ−ＲＳ−ＩｄｅｎｔｉｔｙＮＺＰ−ｒ１１）を示し、ＱＣＬタイプＢの場合には、特定のＮＺＰ ＣＳＩ−ＲＳが、ＤＭ−ＲＳとＣＳＩ−ＲＳとの間のＱＣＬとして有効である。
【０１３７】
さらに、特定のＮＺＰ ＣＳＩ−ＲＳは、ＲＲＣ層シグナリングによって所定のＮＺＰ ＣＳＩ−ＲＳリソースとリンクされてもよい。ここで、ＮＺＰ ＣＳＩ−ＲＳに対するリソースは、下記の表９のように定義され、ＱＣＬが適用されるＣＲＳに関する情報を有することがわかる。したがって、本発明では、リンクされたＮＺＰ ＣＳＩ−ＲＳとのＱＣＬが仮定されるＣＲＳと、特定のＮＺＰ ＣＳＩ−ＲＳと、の間にもＱＣＬが適用されると同時に、このリンクされたＮＺＰ ＣＳＩ−ＲＳとのＱＣＬが仮定されるＣＲＳの情報が、当該ＰＱＩステートのＣＲＳ ＲＭ情報としても用いられうるようにデザインされてもよい。
【０１３８】
【表９】
0006352935.tif 000024
【０１３９】
ＱＣＬタイプＡの場合、ＰＱＩステートに、上記一つのＮＺＰ ＣＳＩ−ＲＳリソース自体は、ＤＭ−ＲＳとＣＳＩ−ＲＳとの間のＱＣＬ情報として適用しないようにし、すなわち、無視し、リンクされたＮＺＰ ＣＳＩ−ＲＳとのＱＣＬが仮定されるＣＲＳに関する情報を用いて、このようなＣＲＳ情報が、当該ＰＱＩステートのＣＲＳ ＲＭ情報としても用いられるようにすることができる。
【０１４０】
ＰＤＳＣＨがＱＣＬタイプＡ、ＥＰＤＣＣＨがＱＣＬタイプＢとして設定された場合には、ＰＤＳＣＨについては、指示されたＮＺＰ ＣＳＩ−ＲＳリソースは、ＤＭ−ＲＳとＣＳＩ−ＲＳとの間のＱＣＬ情報としては適用しないようにするが、ＥＰＤＣＣＨ ＱＣＬタイプＢのためにこのＰＱＩステートがＥＰＤＣＣＨにリンクされている場合には、当該ＮＺＰ ＣＳＩ−ＲＳリソースは、ＥＰＤＣＣＨの復号のためのＤＭ−ＲＳとＣＳＩ−ＲＳとの間のＱＣＬ情報として意味があるよう定義することができる。
【０１４１】
逆に、ＰＤＳＣＨがＱＣＬタイプＢ、ＥＰＤＣＣＨがＱＣＬタイプＡとして設定された場合、ＰＤＳＣＨについては、指示されたＮＺＰ ＣＳＩ−ＲＳリソースは、ＤＭ−ＲＳとＣＳＩ−ＲＳとの間のＱＣＬ情報として有効であるが、ＥＰＤＣＣＨ ＱＣＬタイプＡのためにこのＰＱＩステートが当該ＥＰＤＣＣＨにリンクされている場合には、当該ＮＺＰ ＣＳＩ−ＲＳリソース情報は、ＥＰＤＣＣＨ復号のためのＤＭ−ＲＳとＣＳＩ−ＲＳとの間のＱＣＬ情報としては無視するよう定義できる。
【０１４２】
ただし、リンクされたＮＺＰ ＣＳＩ−ＲＳとのＱＣＬが仮定されるＣＲＳに関連する情報は、ＰＤＳＣＨおよびＥＰＤＣＣＨの両方において、ＣＲＳ ＲＭの用途には常に適用されなければならない。
【０１４３】
要するに、各ＰＱＩステートによって指示されるＮＺＰ ＣＳＩ−ＲＳリソースは、ＰＤＳＣＨおよびＥＰＤＣＣＨの両方に対してＱＣＬタイプＡである場合には、ＤＭ−ＲＳとＣＳＩ−ＲＳとの間のＱＣＬ情報としては無視するようにし、ＰＤＳＣＨおよびＥＰＤＣＣＨの両方に対してＱＣＬタイプＢである場合には、ＤＭ−ＲＳとＣＳＩ−ＲＳとの間のＱＣＬ情報として有効なものとして適用する。さらに、各ＰＱＩステートによって指示されるＮＺＰ ＣＳＩ−ＲＳにリンクされたＮＺＰ ＣＳＩ−ＲＳリソースが存在し、このようなＮＺＰ ＣＳＩ−ＲＳリソースとのＱＣＬが仮定されるＣＲＳに関連する情報は、ＰＤＳＣＨおよびＥＰＤＣＣＨの両方に対してＣＲＳ ＲＭの用途には常に適用されなければならない。
【０１４４】
＜第２実施例＞
一方、ＳＰＳ（Semi-Persistent Scheduling）の場合に対する上記ＰＱＩフィールドの解釈および関連動作は、次のような場合を考慮できる。
【０１４５】
１．  まず、上記表７を参照すると、ＣｏＭＰモードである送信モード１０では、ＰＤＳＣＨスケジューリングのためにＤＣＩフォーマット２Ｄを用いるが、フォールバックモードとしてＤＣＩフォーマット１Ａを用いるよう定義されている。したがって、本発明では、ＳＰＳ活性化のためのＤＣＩフォーマットとしてはＤＣＩフォーマット１Ａのみを使用できるよう定めることができる。すなわち、ＤＣＩフォーマット２Ｄでは、ＳＰＳ活性化が不可能であると定義した場合である。ＤＣＩフォーマット１ＡにＰＱＩフィールドがない場合、ＳＰＳ活性化は、ＰＱＩフィールドのないＤＣＩフォーマットでのみ可能であると定めたと解釈されてもよい。ＰＱＩフィールドは現サブフレームの動的情報を示すが、ＳＰＳの場合は、後のサブフレームに対してもＳＰＳ非活性化されるまで事前に特定の周期単位でセミパーシステントスケジューリングが自動設定されるため、現活性化サブフレームのＰＱＩフィールド情報が続けて適用されるようにすることが好ましくないことがあるためである。
【０１４６】
或いは、ＣｏＭＰモードである送信モード１０ではＳＰＳ活性化が不可能であると規定することもできる。すなわち、送信モード１０では、ＤＣＩフォーマット２ＤおよびＤＣＩフォーマット１Ａの両方ともＳＰＳ活性化をサポートしないよう定義することができる。いい換えると、ＳＰＳによるＰＤＳＣＨ送信をスケジューリングするには、送信モード９以下でＰＤＳＣＨをスケジューリングしなければならないという意味である。
【０１４７】
或いは、ＣｏＭＰモードである送信モード１０において、ＳＰＳ活性化のためのＤＣＩフォーマットとしてはＤＣＩフォーマット１Ａのみが可能であるが、下記の（１）乃至（６）などの制約条件をおくこともできる。
【０１４８】
（１）ＤＣＩフォーマット１Ａが共通検索領域（もしくは、ＵＥ固有検索領域）で検出される場合のみ、ＳＰＳ活性化が可能
（２）ＤＣＩフォーマット１Ａがｎｏｎ−ＭＢＳＦＮサブフレーム（もしくは、ＭＢＳＦＮサブフレーム）で検出される場合のみ、ＳＰＳ活性化が可能
（３）ＤＣＩフォーマット１Ａがｎｏｎ−ＭＢＳＦＮサブフレームの共通検索領域（もしくは、ＵＥ固有検索領域）で検出される場合のみ、ＳＰＳ活性化が可能
（４）ＤＣＩフォーマット１ＡがＭＢＳＦＮサブフレームの共通検索領域（もしくは、ＵＥ固有検索領域）で検出される場合のみ、ＳＰＳ活性化が可能
（５）ＤＣＩフォーマット１Ａがｎｏｎ−ＭＢＳＦＮサブフレームで検出され、かつ、ＭＢＳＦＮサブフレームの共通検索領域（もしくは、ＵＥ固有検索領域）で検出される場合のみ、ＳＰＳ活性化が可能
（６）ＤＣＩフォーマット１ＡがＭＢＳＦＮサブフレームで検出され、かつ、ｎｏｎ−ＭＢＳＦＮサブフレームの共通検索領域（もしくは、ＵＥ固有検索領域）で検出される場合のみ、ＳＰＳ活性化が可能
勿論、上記の（１）乃至（６）の例示は、ＰＱＩフィールドを有しないＤＣＩフォーマット１Ａを用いてのみＳＰＳ活性化が可能であると規定されてもよい。
【０１４９】
２．  一方、送信モード１０において、ＰＱＩを持つＤＣＩフォーマットを用いてもＳＰＳ活性化は可能であるが、当該ＰＱＩフィールドの情報は、現在ＳＰＳ活性化を指示するサブフレームでのみ有効であり、その後、ＳＰＳによってセミパーシステントスケジューリングされたサブフレームでは、下りリンクサービングセルのＰＱＩ情報に従うように定義することもできる。
【０１５０】
この時、ＰＤＳＣＨ開始シンボルに関する情報は、下りリンクサービングセルのＥＰＤＣＣＨまたはキャリアアグリゲーションされた他のサービングセルなどのためのＰＤＳＣＨ開始シンボルに関する情報がＲＲＣシグナリングで設定されている場合にはそれに従い、設定されていない場合は、下りリンクサービングセルのＰＣＦＩＣＨ情報（または、特定の送信ポイントのＰＣＦＩＣＨ情報）に従うようにすることができる。
【０１５１】
ＰＤＳＣＨ開始シンボルに関する情報以外のＰＱＩ情報うちの全体または一部の情報は、ＳＰＳ活性化時に当該ＤＣＩフォーマットのＰＱＩフィールドで指示した情報を、以降のＳＰＳによってセミパーシステントスケジューリングされたサブフレームに対しても続けて適用するようにすることができる。例えば、ＰＤＳＣＨ開始シンボルに関する情報を除く残りのＰＱＩ情報はいずれも、引き続き、ＳＰＳ活性化時に指示されたＰＱＩ情報に従うようにすることができ、ＰＤＳＣＨ開始シンボルに関する情報については、上述したように下りリンクサービングセルの該当の情報に従うようにすることができる。
【０１５２】
３．  一方、上記の１．および２．の方法を固定的に使用する場合は、ＳＰＳによるＰＤＳＣＨスケジューリングの側面で相当な制約が発生しうる。そこで、より柔軟なスケジューリングを保障するために、下記のａ）およびｂ）のように、ＤＣＩフォーマットごとに異なる規則を適用するように規定することもできる。
【０１５３】
ａ）ＰＱＩフィールドが存在するＤＣＩフォーマット１Ａを受信してＳＰＳ活性化が指示された場合、または、ＤＣＩフォーマット１ＡにＰＱＩフィールドが存在しないが、ＰＱＩフィールドにある内容の全部もしくは一部に関するいずれかのデフォルト情報（もしくは、ＲＲＣで設定された情報）がＤＣＩフォーマット１Ａに設定されている場合、ＵＥは、当該ＰＱＩフィールドが示す情報またはデフォルト情報（もしくは、ＲＲＣで設定された情報）を、今回のサブフレームのみに対して適用する。
【０１５４】
しかし、ＰＱＩフィールドが存在するＤＣＩフォーマット２Ｄを受信してＳＰＳ活性化が指示された場合、ＵＥは、当該ＰＱＩフィールドが指示する情報の全部もしくは一部を、今回のサブフレームだけでなく、以降のＳＰＳによってセミパーシステントスケジューリングされるサブフレームに対しても続けて適用するようにする。
【０１５５】
ｂ）ＰＱＩフィールドが存在するＤＣＩフォーマット２Ｄを受信してＳＰＳ活性化が指示された場合、ＵＥは、当該ＰＱＩフィールドが指示する情報の全部もしくは一部を今回のサブフレームのみに対して適用する。
【０１５６】
しかし、ＰＱＩフィールドが存在するＤＣＩフォーマット１ＡによってＳＰＳ活性化が指示された場合、または、ＤＣＩフォーマット１ＡにＰＱＩフィールドが存在しないが、ＰＱＩフィールドにある内容の全部もしくは一部に関するいずれかのデフォルト情報（もしくは、ＲＲＣで設定された情報）がＤＣＩフォーマット１Ａに設定されており、このＤＣＩフォーマット１ＡによってＳＰＳ活性化が指示された場合、ＵＥは、当該ＰＱＩフィールドが示す情報またはデフォルト情報（もしくは、ＲＲＣで設定された情報）の全部もしくは一部を、今回のサブフレームだけでなく、以降のＳＰＳによってセミパーシステントスケジューリングされるサブフレームに対しても続けて適用するようにする。
【０１５７】
４．  ＳＰＳによるＣｏＭＰ動作をより円滑にサポートするために、次のような規則を定義することを提案する。
【０１５８】
特定ＤＣＩフォーマットによってＳＰＳ活性化がなされ、その後、ＳＰＳによるＰＤＳＣＨ送信がＴｍｓ間隔ごとに送信されていると仮定すれば、特定のサブフレーム＃ＮのＳＰＳによるＰＤＳＣＨ送信時に、その前のＸｍｓ（例えば、Ｘ＝Ｔ−１）の間にＰＱＩフィールドを有するスケジューリング情報（すなわち、ＤＣＩフォーマット）が存在すれば、特定のサブフレーム＃Ｎでも、上記Ｘｍｓにおいて最も最近に受信したＰＱＩフィールドが示す情報の全部もしくは一部に従うようにする。
【０１５９】
或いは、サブフレーム＃ＮのＳＰＳ ＰＤＳＣＨ送信時に、その前のＸｍｓにおいてＳＰＳ ＰＤＳＣＨの再送信のためのスケジューリング情報（または、再送信のためのスケジューリング情報が複数個存在する場合には、最も最近のスケジューリング情報）がＰＱＩフィールドを有する状態で受信されたとすれば、サブフレーム＃Ｎでも、このようなＰＱＩフィールドが示す情報の全部もしくは一部に従うようにするが、再送信である場合に限って適用することもできる。
【０１６０】
さらに、ＰＱＩフィールドが示す情報の全部もしくは一部は、更新されない限り続けて適用されてもよく、または、上記サブフレーム＃Ｎ時点でのみ適用し、その後は、デフォルトとして下りリンクサービングセルの関連情報に従うようにしたり、最初のＳＰＳ活性化時点で適用したＰＱＩフィールドが示す情報の全部もしくは一部に従うようにしたりすることもできる。
【０１６１】
或いは、上記ＳＰＳ ＰＤＳＣＨの再送信のためのスケジューリング情報にＰＱＩフィールドがある場合、このＰＱＩフィールドは、必ず、初期ＳＰＳ活性化を指示するスケジューリング情報においてＰＱＩフィールドが示す情報の全部もしくは一部と同じ情報として設定されるように制限をおくことも考慮することができる。
【０１６２】
さらに、上記ＳＰＳ ＰＤＳＣＨの再送信のためのスケジューリング情報は、ＰＱＩフィールド自体を有しないように定義することもできる。ＰＱＩフィールドがないということは、初期ＳＰＳ活性化を指示するスケジューリング情報にＰＱＩフィールドがあった場合は、このＰＱＩフィールドが示す情報の全部もしくは一部をＳＰＳ ＰＤＳＣＨの再送信の場合にも適用しなければならないということを意味できる。
【０１６３】
上述したＳＰＳ ＰＤＳＣＨに関するスケジューリング情報（もしくは、ＤＣＩフォーマット）に関する解析および規則を適用するか否かは、ＲＲＣ信号を用いて設定できる。
【０１６４】
要するに、ＳＰＳによる持続的なＴｍｓ間隔のＰＤＳＣＨ送信に関しては、それ以上ＰＱＩフィールドが指示する情報を直接与えることができない。したがって、最近のＸｍｓにおいて通常のＣ−ＲＮＴＩでマスクされて送信されるスケジューリング情報においてＰＱＩフィールドが指示する情報が存在する場合、または、ＰＱＩフィールドを有する、ＳＰＳ ＰＤＳＣＨの再送信のためのスケジューリング情報が受信された場合には、このようなＰＱＩフィールドに従うように規定し、最も最近の瞬間的な環境を、現サブフレームを含めて以降のＳＰＳ ＰＤＳＣＨ送信時にも反映できるという長所がある。
【０１６５】
＜第３実施例＞
一方、上記ではＰＱＩフィールドが２ビットの別のフィールドとして定義されるとしたが、必ずしもこれに限定されない。すなわち、ＰＱＩフィールドは、Ｎビットサイズのフィールドとして定義されてもよく、その一部のビットは既存のとおり明示的にＤＣＩに追加されるが、残りのビットは既存フィールドを借用する形態として定義することもできる。例えば、Ｎ＝２の場合、新しい１ビットフィールドを定義するが、０または１の値を持つスクランブリング識別子フィールド（ｎＳＣＩＤ）に上記新しい１ビットフィールドをリンクさせて合計４個のステートとして結合エンコーディングする方式も可能である。
【０１６６】
また、Ｎビットによって定義される２N個のステートのそれぞれに対して、ＱＣＬタイプＡまたはＱＣＬタイプＢを個別にＲＲＣシグナリングで設定する方式も考慮することができる。すなわち、２N個のステートのそれぞれに対して、当該ステートがＱＣＬタイプＡに従うかＱＣＬタイプＢに従うかをＲＲＣシグナリングを用いて指定する。これによって特定ステートがＤＣＩによって指示されると、ＱＣＬタイプＡに従ってサービングセルＣＲＳとＤＭ−ＲＳとの間のＱＣＬが適用されるようにすることができ、ＱＣＬタイプＢに従って特定ＣＳＩ−ＲＳとＤＭ−ＲＳとの間のＱＣＬが適用されるようにすることができる。
【０１６７】
或いは、２N個のステートのそれぞれに対してＱＣＬタイプＢとして設定するＲＲＣシグナリングが受信されないと、当該ステートはＱＣＬタイプＡとしてデフォルト設定されるようにする方式も可能である。すなわち、各２N個のステートのデフォルトＱＣＬタイプはＱＣＬタイプＡであり、各ステートにＱＣＬタイプＢはさらに設定される方式である。
【０１６８】
具体的には、特定のステートにおいてＮＺＰ ＣＳＩ−ＲＳリソースインデックスが設定される場合、ＱＣＬタイプＢが設定され、当該ＮＺＰ ＣＳＩ−ＲＳとＤＭ−ＲＳとの間のＱＣＬが適用される。しかし、特定のステートにおいてＮＺＰ ＣＳＩ−ＲＳリソースインデックスが設定されていない場合、当該ステートは、デフォルトのＱＣＬタイプとしてＱＣＬタイプＡが設定され、ＵＥは、サービングセルＣＲＳとＤＭ−ＲＳとの間のＱＣＬを適用する。
【０１６９】
一方、本発明の第３実施例では、ＵＥがＱＣＬに関連したタイプの最大個数（Ｍ）を特定値以下に制限し、ＵＥの処理の複雑度を一定レベルに維持することを提案する。好ましくは、Ｍ＝４として設定できる。
【０１７０】
例えば、上記２N個のステートのうち３個のステートのそれぞれに対して、互いに異なる３個のＮＺＰ ＣＳＩ−ＲＳのそれぞれに対するＱＣＬタイプＢが異なるように設定されてもよい。すなわち、これらの３個のステートはいずれもＱＣＬタイプＢとして設定されているが、それぞれのＱＣＬリンクは、ＣＳＩ−ＲＳ１、ＣＳＩ−ＲＳ２、ＣＳＩ−ＲＳ３が各ステートでそれぞれ指示されるため、事実上、ＵＥは、互いに異なる３個のＱＣＬタイプＢを適用して３つの互いに異なる広域特性（large-scale properties）を推定しなければならない。
【０１７１】
さらに、ＥＰＤＣＣＨのためのＥＰＤＣＣＨ ＱＣＬタイプが定義されてもよく、これは、ＥＰＤＣＣＨ ＱＣＬタイプＡ（すなわち、サービングセルＣＲＳとＥＰＤＣＣＨ ＤＭ−ＲＳとの間のＱＣＬ）とＥＰＤＣＣＨ ＱＣＬタイプＢ（すなわち、特定ＣＳＩ−ＲＳとＥＰＤＣＣＨ ＤＭ−ＲＳとの間のＱＣＬ）との２つであってもよい。したがって、ＥＰＤＣＣＨ ＱＣＬタイプＡが設定された場合であれば、これが他のＱＣＬタイプであり、ＵＥは、そのための他の広域特性を推定しなければならない。よって、Ｍ＝４が好ましい。これは、ＥＰＤＣＣＨ ＱＣＬタイプＡまたはＥＰＤＣＣＨ ＱＣＬタイプＢが各ＥＰＤＣＣＨセットに独立して設定されうる場合であっても、他のＥＰＤＣＣＨセットにおいて、上記のＣＳＩ−ＲＳ１、ＣＳＩ−ＲＳ２、ＣＳＩ−ＲＳ３以外のＣＳＩ−ＲＳとのＱＣＬの仮定は、それ以上不可能であると制限されることが理解できる。
【０１７２】
ＵＥの処理複雑度をより減らすために、Ｍ＝３のように、より低い値に制限することもできる。このようなＭ値は、ＵＥ性能（capability）として定義できる。すなわち、各ＵＥは、自体で可能な最大のＭ値が自体の性能に関連したパラメータに有されて製造／販売されてもよい。いい換えると、あるＵＥは、最大Ｍ＝３が可能である性能を有し、あるＵＥは、最大Ｍ＝４が可能である性能を有することをｅＮＢに知らせ、ｅＮＢは、当該ＵＥのＭ値を考慮して上記ＱＣＬタイプを適切に上位層を通して設定できる。
【０１７３】
上記の性能またはＭ値を表現する方式は様々である。例えば、２N個のステート全体にわたって、Ｌ個の互いに異なるＮＺＰ ＣＳＩ−ＲＳリソースのみ設定可能にしてもよい。この場合、Ｌ＜＝Ｍになるだろう。例えば、Ｌ＝２であれば、２N個のステートによって設定可能な互いに異なるＮＺＰ ＣＳＩ−ＲＳリソースの個数は最大２個となり、ＣＳＩ−ＲＳ１、ＣＳＩ−ＲＳ２がそれぞれ特定のステートで指示されるが、他のＮＺＰ ＣＳＩ−ＲＳリソースは指示されないようにすることもできる。
【０１７４】
図１４は、本発明の一実施例に係る通信装置のブロック構成図である。
【０１７５】
図１４を参照すると、通信装置１４００は、プロセッサ１４１０、メモリ１４２０、ＲＦモジュール１４３０、ディスプレイモジュール１４４０およびユーザインターフェースモジュール１４５０を備えている。
【０１７６】
同図の通信装置１４００は、説明の便宜のために示されたもので、一部のモジュールは省略されてもよい。また、通信装置１４００は、必要なモジュールをさらに備えてもよい。また、通信装置１４００において一部のモジュールはより細分化したモジュールに区分されてもよい。プロセッサ１４１０は、図面を参照して例示した本発明の実施例に係る動作を実行するように構成される。具体的には、プロセッサ１４１０の詳細な動作は、図１乃至図１３に記載された内容を参照してもよい。
【０１７７】
メモリ１４２０は、プロセッサ１４１０に接続され、オペレーティングシステム、アプリケーション、プログラムコード、データなどを格納する。ＲＦモジュール１４３０は、プロセッサ１４１０に接続され、基底帯域信号を無線信号に変換したり、無線信号を基底帯域信号に変換する機能を果たす。そのために、ＲＦモジュール１４３０は、アナログ変換、増幅、フィルタリングおよび周波数アップ変換またはこれらの逆過程を行う。ディスプレイモジュール１４４０は、プロセッサ１４１０に接続され、様々な情報を表示する。ディスプレイモジュール１４４０は、特に制限されるものではなく、ＬＣＤ（Liquid Crystal Display）、ＬＥＤ（Light Emitting Diode）、ＯＬＥＤ（Organic Light Emitting Diode）などの周知の要素を用いることができる。ユーザインターフェースモジュール１４５０は、プロセッサ１４１０に接続され、キーパッド、タッチスクリーンなどの周知のユーザインターフェースの組合せで構成可能である。
【０１７８】
以上説明してきた実施例は、本発明の構成要素および特徴を所定の形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素および／または特徴を結合して本発明の実施例を構成することもできる。本発明の実施例で説明される動作の順序は変更されてもよい。ある実施例の一部の構成や特徴は、他の実施例が有してもよく、他の実施例の対応する構成または特徴に取り替わってもよい。特許請求の範囲において明示的な引用関係にない請求項を結合して実施例を構成したり、出願後の補正により新しい請求項として含めたりできるということは明らかである。
【０１７９】
本文書で基地局によって行われるとした特定動作は、場合によってはその上位ノード（upper node）によって行われることもある。すなわち、基地局を有する複数のネットワークノード（network nodes）からなるネットワークにおいて、端末との通信のために行われる様々な動作は、基地局または基地局以外の他のネットワークノードによって行われ得ることは明らかである。基地局は、固定局（fixed station）、ＮｏｄｅＢ、ｅＮｏｄｅＢ（ｅＮＢ）、アクセスポイント（access point）などの用語にしてもよい。
【０１８０】
本発明に係る実施例は、様々な手段、例えば、ハードウェア、ファームウェア（firmware）、ソフトウェアまたはそれらの結合などによって具現することができる。ハードウェアによる具現では、本発明の一実施例は、一つまたはそれ以上のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現することができる。
【０１８１】
ファームウェアやソフトウェアによる具現では、本発明の一実施例は、以上で説明された機能または動作を実行するモジュール、手順、関数などの形態で具現されてもよい。ソフトウェアコードは、メモリユニットに記憶され、プロセッサによって駆動可能である。メモリユニットは、プロセッサの内部または外部に設けられ、公知の様々な手段によってプロセッサとデータを交換することができる。
【０１８２】
本発明は、本発明の特徴から逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈によって決定すべきであり、本発明の等価的範囲内における変更はいずれも本発明の範囲に含まれる。
【産業上の利用可能性】
【０１８３】
以上、無線通信システムにおいて下りリンク信号の送受信方法およびそのための装置は、３ＧＰＰ ＬＴＥシステムに適用される例を中心に説明されたが、３ＧＰＰ ＬＴＥシステムの他、様な無線通信システムにも適用可能である。
【図１】
0006352935.tif 000025
【図２】
0006352935.tif 000026
【図３】
0006352935.tif 000027
【図４】
0006352935.tif 000028
【図５】
0006352935.tif 000029
【図６】
0006352935.tif 000030
【図７】
0006352935.tif 000031
【図８】
0006352935.tif 000032
【図９】
0006352935.tif 000033
【図１０】
0006352935.tif 000034
【図１１】
0006352935.tif 000035
【図１２】
0006352935.tif 000036
【図１３】
0006352935.tif 000037
【図１４】
0006352935.tif 000038